(57)【要約】  【課題】立体的な奥行きのある写真として楽しむことのできる立体写真を提供する。  【解決手段】立体写真は、単一の画像を分割してなる複数の画像領域につき、該画像領域それぞれを印刷してなるシート部材をレイヤー構造となるように立体的に重ねてなるものである。この立体写真は、単一の画像を複数の画像領域に分割し、該分割した画像領域それぞれを印刷してなるシート部材をレイヤー構造となるように立体的に重ねることで製造される。【選択図】図６
2010066603.tif 000002
【特許請求の範囲】
【請求項１】
単一の画像を分割してなる複数の画像領域につき、該画像領域それぞれを印刷してなるシート部材をレイヤー構造となるように立体的に重ねてなる
ことを特徴とする立体写真。
【請求項２】
単一の画像を複数の画像領域に分割し、該分割した画像領域をそれぞれ印刷してなるシート部材をレイヤー構造となるように立体的に重ねる
ことを特徴とする立体写真製造方法。
【発明の詳細な説明】
【技術分野】
【０００１】
本発明は、シート部材をレイヤー構造となるように立体的に重ねてなる立体写真に関する。
【背景技術】
【０００２】
従来から記念写真などは、１枚のシート部材に印刷して飾ることが一般的である。
【発明の開示】
【発明が解決しようとする課題】
【０００３】
しかし、従来の写真は１枚のシート部材に印刷しているだけであるため、平面的な画像としてしか楽しむことができなかった。
本発明は、このような課題を解決するためになされたものであり、その目的は、立体的な奥行きのある写真として楽しむことのできる立体写真を提供することである。
【課題を解決するための手段】
【０００４】
上記課題を解決するためになされた本発明は、単一の画像を分割してなる複数の画像領域につき、該画像領域それぞれを印刷してなるシート部材をレイヤー構造となるように立体的に重ねてなることを特徴とする立体写真である。
【０００５】
このような立体写真であれば、１枚の印画紙に画像を印刷してなる写真とは異なり、立体的な奥行きのある写真として楽しむことができる。
また、上記課題を解決するためには、単一の画像を複数の画像領域に分割し、該分割した画像領域をそれぞれ印刷してなるシート部材をレイヤー構造となるように立体的に重ねることを特徴とする立体写真製造方法であってもよい。
【０００６】
このような方法であれば、単一の画像を複数の画像領域に分割し、該分割した画像領域それぞれを印刷してなるシート部材をレイヤー構造となるように立体的に重ねることにより、画像領域それぞれが立体的に重ねられた写真とすることができる。
【０００７】
こうして製造された立体写真であれば、１枚の印画紙に画像を印刷してなる写真とは異なり、立体的な奥行きのある写真として楽しむことができる。
【発明を実施するための最良の形態】
【０００８】
以下に本発明の実施形態を図面と共に説明する。
１．全体構成
立体写真１は、図１に示すように、単一の画像を分割してなる複数の画像領域につき、該画像領域それぞれを印刷してなるシート部材をレイヤー構造となるように立体的に重ねてなるものである。
【０００９】
この立体写真１は、単一の画像を複数の画像領域に分割し、該分割した画像領域それぞれを印刷してなるシート部材をレイヤー構造となるように立体的に重ねさせることにより製造される。
２．製造方法
以下、この製造方法を図２〜図６に基づいて具体的に説明する。
（１）手順１：写真の作成（図２参照）
（１−１）写真を選ぶ
ここでは、立体写真を製造可能な写真であるかを選別する。
（１−２）イメージラインの作成
ここでは、写真を分割する枚数ｎ（本実施形態では、ｎ＝４）に応じたイメージライン（領域を分ける線）を作成する。
（１−３）１段目（ベース）の作成
ここでは、ベースとなる１段目の写真を作成する。
【００１０】
具体的には、図２における（１−２）で「１」とある最外周の領域のみが印刷されてなる写真を作成する。このとき、次段目の写真と重なる領域を一定幅確保しつつ、次段目の写真と重なる領域以外の領域についてのみ印刷されてなる写真を作成する。
（１−４）〜（１−６）ｉ段目の作成
ここでは、ｉ（＝２〜４；以下同様）段目の写真それぞれを作成する。
【００１１】
具体的には、図２における（１−２）における最外周からｉ番目の領域のみが印刷されてなる写真を作成する。このとき、次段目の写真と重なる領域を一定幅確保しつつ、次段目の写真と重なる領域以外の領域についてのみ印刷されてなる写真を作成する。
（２）手順２：カット（図３参照）
（２−１）１段目の配置
この１段目はベースとなる写真であるため、カットはしない。
（２−２）ｎ段目のカット
ここでは、最上部に配置されるｎ段目の写真を印刷されている領域が残るようにカットする。
（２−３）ｎ−１段目のカット
ここでは、ｎ−１段目の写真を印刷されている領域が残るようにカットする。
（２−４）ｊ段目のカット
ここでは、ｊ（＝ｎ−２〜２）段目の写真それぞれにつき、印刷されている領域が残るようにカットする。
（３）手順３：インナーパネルの作成（図４参照）
（３−１）〜（３−３）ｉ段目のインナーパネルの作成
ここでは、ｉ段目の写真をｉ−１段目の写真表面から離して配置させるためのインナーパネルそれぞれを作成する。
【００１２】
具体的には、ｉ段目の写真の外周よりも所定量（例えば５ｍｍ）内側に、パネルの外周が位置するように元パネルをカットすることにより、ｉ段目のインナーパネルを作成する。
【００１３】
そして、こうして作成されたインナーパネルそれぞれが対応する写真の裏面に取り付ける。
（４）手順４：貼付（図５参照）
（４−１）〜（４−３）ｉ段目の写真の取付
ここでは、２段目の写真〜ｎ段目の写真の順に、各写真を、その裏面に取り付けられたインナーパネルを介して最上部に配置されている写真の表面に取り付ける。これにより、立体写真が完成する（図６参照）。
（５）手順５：完成
そして、上記手順４にて完成した立体写真をその奥行きに合わせた専用の額縁内に収める。
【００１４】
なお、この製造方法にて製造された立体写真の例を図７，図８に示す。
３．作用，効果
このような立体写真１であれば、１枚の印画紙に画像を印刷してなる写真とは異なり、立体的な奥行きのある写真として楽しむことができる。
【００１５】
また、上述した製造方法であれば、単一の画像を複数の画像領域に分割し、該分割した画像領域それぞれを印刷してなるシート部材をレイヤー構造となるように立体的に重ねることにより、画像領域それぞれが立体的に重ねられた写真とすることができる。
【００１６】
こうして製造された立体写真であれば、１枚の印画紙に画像を印刷してなる写真とは異なり、立体的な奥行きのある写真として楽しむことができる。
【図面の簡単な説明】
【００１７】
【図１】立体写真の例を示す図
【図２】立体写真の製造方法を示す図（１／５）
【図３】立体写真の製造方法を示す図（２／５）
【図４】立体写真の製造方法を示す図（３／５）
【図５】立体写真の製造方法を示す図（４／５）
【図６】立体写真の製造方法を示す図（５／５）
【図７】立体写真の別例を示す図（１）
【図８】立体写真の別例を示す図（２）
【符号の説明】
【００１８】
１…立体写真。
【図１】
2010066603.tif 000003
【図２】
2010066603.tif 000004
【図３】
2010066603.tif 000005
【図４】
2010066603.tif 000006
【図５】
2010066603.tif 000007
【図６】
2010066603.tif 000008
【図７】
2010066603.tif 000009
【図８】
2010066603.tif 000010